(57)【要約】【課題】ゴルフは野球やテニスなどの様に同じく用具を用いてボールを打つスポーツに比べ、地面に置かれたボールに対し９０°離れたところに目標があることや、用具が長く運動速度が速いという要件から、日常とかけ離れた感覚が必要となり、合理的で安定したフォームを習得するのが他のスポーツに対して時間がかかると言われる。【解決手段】本発明では、スイングプレーンに平行な仮想空間をプレーヤーに知覚させる遠近法を利用した特殊な図柄を用い、その空間内で野球のライト打ちの要領で空間内に設定したターゲットにボールを打ち返すイメージでスイングしてもらうことによって、正しいスイングが習得できるゴルフ練習用具、装置及びトレーニング方法を提供する。【選択図】図３
2014161382.tif 000002
【特許請求の範囲】
【請求項１】
プレーヤーが正規スタンスに立ってボール周辺の地面を見たときに、スイングプレーンと平行な、つまり実際の地面と前傾して交差するような斜めに前傾した仮想の地面、空間を容易にイメージすることができるような方眼メッシュ又は縦ストライプ、横ストライプ又は実際の写真等、遠近法的空間錯視を生ずる図柄を、練習場設置のゴルフマット上及び実際のバンカー上、実際の芝の上に投影装置による図柄投影等の方法で描画すること、または、ゴルフ練習用マットの人工芝部に印刷又は部分邸な脱色、色違いの繊維による植毛等の方法で描画することで、スイングプレーンに沿ったスイング軌道がこの仮想空間内で野球で言うところの仮想地面に平行なレベルスイングされているように錯覚させることを特徴とするゴルフに於ける練習用具、装置及びそれを用いたトレーニング方法。
【請求項２】
請求項１に記載の図柄内、図柄中央右、近景にアイアン用ボールマーカーと呼ばれる円形のシェイプが配置され、更にこのアイアン用ボールマーカーから、右利きプレーヤー用の場合、一般的なドライバーでのスタンスのおよそ半分の距離離れた同じく近景にドライバー用ボールマーカーが設置されていていることを特徴とするゴルフに於ける練習用具、装置及びそれを用いたトレーニング方法。
【請求項３】
アイアン用ボールマーカーはアイアン系のクラブでの練習に於いて実地面にボールを実際に置く物理的目印であると同時に、請求項１に記載の遠近法的錯視を生ずる図柄によって生み出されるスイングプレーンと平行な仮想空間内では、近景にトスされ浮かんでいるボールイメージとして、仮想空間でのレベルスイングでのヒットポイントも表していることを特徴とするゴルフに於ける練習用具、装置及びそれを用いたトレーニング方法。
【請求項４】
更にこのアイアン用ボールマーカーからドライバー用ボールマーカーまでの仮想空間内での遠景領域には、使う番手毎に選択可能なボールを打ち返すイメージ上の目標となる樹木、山など距離感を感じさせる特徴的な形をした複数のターゲットオブジェクトと呼ばれるシェイプが一定間隔で配されており、番手に適合した任意のターゲットオブジェクトを目標にアイアン用ボールマーカーに置かれたボールを後方から押し出す、野球でのライト打ち、いわゆる流し打ちの要領でインパクトすることで、ショットの際に同一視野内にボールと目標を捕らえることが可能となり、自然とゴルフに於ける正しい身体の動きが実現され、頭の動き、腰や左膝の開き、左肘の開きを抑制した安定したスクウェアなインパクト及び正しいスイングが得られることを特徴とするゴルフに於ける練習用具、装置及びそれを用いたトレーニング方法。
【請求項５】
請求項１記載のゴルフ練習用マットに適用される場合、人工芝部の請求項２に記載のドライバー用ボールマーカーに当たる部分には、ゴムティ挿入穴が空けられ、取り外し可能なゴムティが装着されていて、ゴムティ上にボールが置かれるが、これを用いた練習に於いてはボールの置かれていないアイアン用ボールマーカーをスイングアークの最下点としながらゴムティ右にあるドライバー用ターゲットオブジェクト方向に打ち返す、野球でのライト打ち、いわゆる流し打ちの要領で振り抜き、結果としてゴムティー上に置かれたボールをインパクトすることで、自然とゴルフに於ける正しい身体の動きが実現され頭の動き、腰や左膝の開き、左肘の開きを抑制した安定したスクウェアなインパクト及び正しいスイングが得られることを特徴とするゴルフに於ける練習用具、装置及びそれを用いたトレーニング方法。
【請求項６】
請求項１の投影機を用いて図柄を投影する利用方法でドライバー練習を行う際、、図柄内の投影画像のドライバー用ボールマーカーを練習場のゴムティ又はティグラウンドで実際にティーアップしたボールに合うようにセットアップすることによって請求項５で示したドライバーでの使用法が使え、これにより腰や左膝の開き、左肘の開きを抑制した安定したスクウェアなインパクト及び正しいスイングが得られることを特徴とするゴルフに於ける練習用具、装置及びそれを用いたトレーニング方法。
【発明の詳細な説明】
【技術分野】
【０００１】
本発明は、遠近法的錯視を利用した仮想空間イメージによる他のスポーツの動作の借用による正しいゴルフスイング修得のためのゴルフ練習用マット、イメージ投影装置器及びゴルフ練習用トレーニング方法に関するものである。
【背景技術】
【０００２】
ゴルフは、日本においてはゴルフ人口の減少が叫ばれていても未だ800万人程ものプレーヤー人口を誇るメジャースポーツであるが、統計では多くのゴルファーが長年練習場に足げく通っているにも関わらず大半がビギナーレベルにあるのが現状であった。
【０００３】
通常、ゴルフのショットの練習を行う場合、ゴルフ練習場や自宅で行う場合が多く、その際にはゴルフの技術解説書やゴルフ雑誌を紐解き、レッスンムービーでの解説やスクール等でのレッスンプロからのレッスン時のアドバイスを思い出して多くの時間を独習に近い形で行うことになる。しかし、ゴルフに於いてはクラブ自体が長く、それ故にクラブとボール双方の運動速度が速いことからフォームの狂いで現れる物理現象が顕著となり失敗に対する許容度が小さいこと、また、ボールが小さく地面に置かれていて目標が９０°横にあることなど日常感覚からの経験の借用が難しい場面が多くあり、独習では行き詰まってしまうことも多い。このためアドバイスを逐次受けなくても上級者の所作に近い状態が得られるような各種練習装置が種々開発されている。
【０００４】
このような練習装置としては、例えば、特表平１０−５０７１０９（特許文献４）のように両腕を装置によって物理的に固定することによってスイング時の腕開きを抑えようとするものがある。これはゴルフレッスンで利用されることの多い左右前腕にゴムボールを挟んでスイングしたり、脇の下にタオルを挟んでスイングしたりすることで両腕が一体となって振れるようするのと同様の効果を期待してのものである。
【０００５】
また、特表２００２−５１７２９７（Ｐ２００２−５１７２９７Ａ）（特許文献２）のうに、グリップエンドから出た光によってプロ等上級者のスイング軌跡と自分のスイング軌跡を比較させ正しいスイングを習得させようとするものや、特開平７−８５８７（特許文献５）のようにプレーヤーの周りにスイングプレーンを表す円形のレールを用意し、このレール上にクラブが乗るようにスイングすることによって正しいスイングを習得しようとするもの、更には特許第４２２８２１３号（Ｐ４２２８２１３）（特許文献１）のように頭を強制的に固定させてスイング中に頭が動いてしまわないようにする装置、実登第３０１５５３６号（特許文献３）のように全身を装置に固定して強制的にスイングを習得させようとする装置など外的強制によってスイング矯正を行おうとするような発明が数多く散見される。
【先行技術文献】
【特許文献】
【０００６】
【特許文献１】特許第４２２８２１３号（Ｐ４２２８２１３）公報
【特許文献２】特表２００２−５１７２９７（Ｐ２００２−５１７２９７Ａ）公報
【特許文献３】実登第３０１５５３６号  公報
【特許文献４】特表平１０−５０７１０９  公報
【特許文献５】特開平７−８５８７  公報
【発明の概要】
【発明が解決しようとする課題】
【０００７】
このようにゴルフ練習用用具、装置及びトレーニング方法としては、他のスポーツには類を見ないほど様々なものが考案されている。それ程までに、ゴルフスイングの習得というものは難しいとも言えるのだが、しかしながら、背景技術で示したように物理的な外的強制によって正しいイングの習得を目指すことは、仮に正しいことを伝えようとしていたとしてもスイングの単に形を伝えようとすることになってしまう。本来、動作の意味の理解と合理性があってこそ意味があるスイングでの一連の動きは、まず内的な理解と本能的な感覚の一致が必要で、これが伴わない形を求めた強制に近い状態でのトレーニングでは本当の意味でのゴルフスイングの理解、修得は難い状態であった。
【０００８】
野球やテニスに於いてプレーヤーは自分に向かって飛んで来るボールを目標と同一視野の中で認識して、ボール後方から目標方向に対して身体を向けて押し出すようなイメージで打つことができる。これは、目標と運動方向が同一ベクトルの方向にあるために運動目的が理解しやすく心理的にも負担が少ない。これに対し、ゴルフの場合、ボールは地面上にあり目標は右利きプレーヤーの場合９０°左方向にある訳で、どうしてもインパクト時に長いクラブでボールの横っ面を正確に叩き、かつ、視野外、左９０°方向にある目標を狙うという日常生活から乖離した作業を強いられることになってしまう。この時にビギナーに於いて問題になるのは、野球やテニスのように本能的に目標を早く視野に入れようとするが余り頭が目標方向を向いてしまうことであり、それによって腰や左膝が開き、左肘が離れ、スクウェアな状態でインパクトできず方向性が悪くなってしまうという問題であった。
【０００９】
本発明は、かかる背景技術をもとになされたもので、野球を中心とするスポーツ等での感覚的に無理のない動作を借用することによって、抽象的な概念の言葉での説明や外的強制を用いなくても、インパクト時の頭の固定、いわゆるビハインド・ザ・ボールと腰及び左膝の開き、左肘の離れを抑えてスイングをするというゴルフスイングの基本を容易に学ぶことができないかという発想に基づいている。嘗て中浜万次郎（ジョン万次郎）が、「掘った芋いじるな」と「What time is it now?」の発音を日本語の言い回しで記したが、カタカナの「ファット」＋「タイム」＋「イズ」＋「イット」＋「ナウ？」を幾ら早口で捲し立てても「掘った芋いじるな」とはなかなかならない。本発明では「掘った芋いじるな」の感覚で、合理的なスイング習得が可能なゴルフ練習用用具、装置及びトレーニング方法の提供を目的とする。
【課題を解決するための手段】
【００１０】
かくして、本発明者は、このような課題背景に対して鋭意研究を重ねた結果、遠近法に基づく錯視を生み出す図柄とそれに付帯する要素を実地面のインパクトゾーン付近に様々な方法で表示することによってスイングプレーンと平行な仮想的な空間をプレーヤーにイメージさせるとともに、その中にボールを置き、右利きプレーヤーの場合はボール左奥、図柄内、仮想空間内、遠景に設定されている目標に対して野球のライト打ちの要領でボールを打ち返すイメージを持ってスイングすることによって、正しいスイングが為され上記の問題点を解決することができることを見い出し、この知見に基づいて本発明を完成させたものである。
【００１１】
すなわち、本発明は、プレーヤーが正規スタンスに立ってボール周辺の地面を見たときに、スイングプレーンと平行な、つまり実際の地面と前傾して交差するような斜めに前傾した仮想の地面、空間を容易にイメージすることができるような方眼メッシュ又は縦ストライプ、横ストライプ又は実際の写真等、遠近法的空間錯視を生ずる図柄を、練習場設置のゴルフマット上及び実際のバンカー上、実際の芝の上に投影装置による図柄投影等の方法で描画すること、または、ゴルフ練習用マットの人工芝部に印刷又は部分邸な脱色、色違いの繊維による植毛等の方法で描画することで、スイングプレーンに沿ったスイング軌道がこの仮想空間内で野球で言うところの仮想地面に平行なレベルスイングされているように錯覚させることを特徴とするゴルフに於ける練習用具、装置及びそれを用いたトレーニング方法に関するものである。
【００１２】
また、本発明は、請求項１に記載の図柄内、図柄中央右、近景にアイアン用ボールマーカーと呼ばれる円形のシェイプが配置され、更にこのアイアン用ボールマーカーから、右利きプレーヤー用の場合、一般的なドライバーでのスタンスのおよそ半分の距離離れた同じく近景にドライバー用ボールマーカーが設置されていていることを特徴とするゴルフに於ける練習用具、装置及びそれを用いたトレーニング方法に関するものである。
【００１３】
また、本発明は、アイアン用ボールマーカーはアイアン系のクラブでの練習に於いて実地面にボールを実際に置く物理的目印であると同時に、請求項１に記載の遠近法的錯視を生ずる図柄によって生み出されるスイングプレーンと平行な仮想空間内では、近景にトスされ浮かんでいるボールイメージとして、仮想空間でのレベルスイングでのヒットポイントも表していることを特徴とするゴルフに於ける練習用具、装置及びそれを用いたトレーニング方法に関するものである。
【００１４】
また、本発明は、更にこのアイアン用ボールマーカーからドライバー用ボールマーカーまでの仮想空間内での遠景領域には、使う番手毎に選択可能なボールを打ち返すイメージ上の目標となる樹木、山など距離感を感じさせる特徴的な形をした複数のターゲットオブジェクトと呼ばれるシェイプが一定間隔で配されており、番手に適合した任意のターゲットオブジェクトを目標にアイアン用ボールマーカーに置かれたボールを後方から押し出す、野球でのライト打ち、いわゆる流し打ちの要領でインパクトすることで、ショットの際に同一視野内にボールと目標を捕らえることが可能となり、自然とゴルフに於ける正しい身体の動きが実現され、頭の動き、腰や左膝の開き、左肘の開きを抑制した安定したスクウェアなインパクト及び正しいスイングが得られることを特徴とするゴルフに於ける練習用具、装置及びそれを用いたトレーニング方法に関するものである。
【００１５】
また、本発明は、請求項１記載のゴルフ練習用マットに適用される場合、人工芝部の請求項２に記載のドライバー用ボールマーカーに当たる部分には、ゴムティ挿入穴が空けられ、取り外し可能なゴムティが装着されていて、ゴムティ上にボールが置かれるが、これを用いた練習に於いてはボールの置かれていないアイアン用ボールマーカーをスイングアークの最下点としながらゴムティ右にあるドライバー用ターゲットオブジェクト方向に打ち返す、野球でのライト打ち、いわゆる流し打ちの要領で振り抜き、結果としてゴムティー上に置かれたボールをインパクトすることで、自然とゴルフに於ける正しい身体の動きが実現され頭の動き、腰や左膝の開き、左肘の開きを抑制した安定したスクウェアなインパクト及び正しいスイングが得られることを特徴とするゴルフに於ける練習用具、装置及びそれを用いたトレーニング方法に関するものである。
【００１６】
また、本発明は、請求項１の投影機を用いて図柄を投影する利用方法でドライバー練習を行う際、、図柄内の投影画像のドライバー用ボールマーカーを練習場のゴムティ又はティグラウンドで実際にティーアップしたボールに合うようにセットアップすることによって請求項５で示したドライバーでの使用法が使え、これにより腰や左膝の開き、左肘の開きを抑制した安定したスクウェアなインパクト及び正しいスイングが得られることを特徴とするゴルフに於ける練習用具、装置及びそれを用いたトレーニング方法に関するものである。
【発明の効果】
【００１７】
野球に於けるライト打ち、もしくは、流し打ちは、腰や左膝が開かないように我慢しながらヘッドの返しを遅らせてタメを作り目標方向を意識して押し出し、インパクト後は振り切ってフィニッシュするという形を取る。実際に、野球の試合で生きたボールで行うのは難しいが、トスされたボールを軽く合わせるのは野球を少しでもやったことのある者であればイメージが掴みやすい。この動作は、ゴルフで求められるものと基本同じなのだが、前傾して地面の上にあるボールを打つ上に、ロフト等の様々な非日常の要素が加味されてこの基本の部分ががわかりにくくなってしまっている。本発明によれば、スイングプレーンに平行な仮想空間を認識して、その中にあるボールを仮想空間内にあるトスされたものと考え、実際の目標ではなく、仮想空間内に設定された目標に対し野球での流し打ちをイメージして打つことによって、ロフトやコックやリストターン、タメ及び左の壁などというゴルフを難しく考えさせてしまう様々な概念の呪縛から放たれ、頭が残り、腰と左膝が開かず、左肘が離れないというゴルフスイングの基本が自然と行えるようになる。また、グラブフェイスを実際の目標に向けたまま、仮想空間自体をアイアン用ボールマーカーを中心に左右に振ることで、容易にいわゆる、インサイドアウト、アウトサイドインのスイング軌道もシンプルに実現でき、ドロー、フェードの打ち分けも容易になる。
【００１８】
更に、副次的な効果として、ボールをクリーンヒットできる確率が高まることが実験により確認されている。そもそもティーインググラウンド以外ではボールは地面に接地しているのが常態であるが、これを打とうとする際に、地面とボールの赤道の間にリーディングエッジを入れなければダフってしまったりトップしてしまうというストレスがある上に、規定の各グラブ設計飛距離を出すためにしっかり打ちたいという相反する心情によって硬直してミスを犯すことが多いが、本発明が提供する仮想空間内でのイメージでは、トスされたボールをロフトなど全く考えることなく直接叩きに行くため、ボールが接地していることへのプレッシャーを大幅に軽減させることができ、高い確率でのクリーンヒットが可能となる。更にこの考え方を進めると、傾斜地に於ける爪先上がり、爪先下がり、左足下がり、左足上がり、更に、これらが複合されたような難しいライ及びディボット内、バンカー内にボールがある場合であっても直接ボールにコンタクトする意識を持つことが可能で、効果的にトラブル回避の練習を行うことができる。
【００１９】
以上述べてきたような頭の動き、腰と左膝の開きの抑制及びクリーンヒットができるという本発明による効果は、他の練習用具や装置やトレーニング方法のように頭で動きを理解させたり部分的外的強制によってスイング矯正を行おうとする考え方ではなく、慣れ親しんだ野球というポピュラーなスポーツでの一連の動作を仮想空間内で無理なく行わせるような仕組みを提供することによって、ゴルフスイングと置き換えて理解させるようという新たな視点で練習用具、装置及びトレーニング方法を見直したもので他の手法に対しての大きなアドバンテージと新規性を備えていると考えられる。
【図面の簡単な説明】
【００２０】
【図１】図１は本発明の図柄案１を示した図面である。
【図２】図２は本発明の図柄案２を示した図面である。
【図３】図３はマットに向い仮想空間を意識しているイメージ１を示した図面である。
【図４】図４はマットに向い仮想空間を意識しているイメージ２を示した図面である。
【図５】図５はマットに向い仮想空間を意識しているイメージ３を示した図面である。
【図６】図６はゴルフ練習用マットのアイアン練習用セットアップでの実施図面である。
【図７】図７は仮想空間を用いてアイアンセットアップでボールを打つ際のイメージを示した運用図面である。
【図８】図８はゴルフ練習用マットのドライバー練習用セットアップでの実施図面である。
【図９】図９は仮想空間を用いてドライバーセットアップでボールを打つ際のイメージを示した運用図面である。
【図１０】図１０は投影装置を用いて図柄を投影した際のアイアンセットアップ図面である。
【図１１】図１１は投影装置を用いて図柄を投影した際のドライバーセットアップ図面である。
【発明を実施するための形態】
【００２１】
本発明を利用した、用具及び装置の使い方及びトレーニング方法を、「実施例１」、「実施例２」で説明する。
【実施例１】
【００２２】
以下、本発明を実施するための代表的な形態を図面に基づいて説明する。図１、図２は、本発明の骨格となる図柄で、図６、図７はこれを実際にゴルフ練習用マットに印刷等の方法で描いた用具としての実施図、図３がその運用上の実施図となる。
【００２３】
先ず、図１に関して説明を行う。プレーヤーが上体を前傾させてゴルフのでスタンスを取った際に、図３に示すような前傾した背骨を鉛直な軸（ａ）と考えると、これと垂直に交わる実際の地面と前傾して交差するような仮想の平面（ｂ）をイメージの中で設定することができる。これは、更に図４、図５のようにイメージを発展させると、スイングプレーンが野球で言うレベルスイングのようになっていると見立てることができる。図１は、本発明による骨格となる図柄であるが、遠近法的な手法を利用した方眼メッシュ（１）を基調としてこのような仮想平面または仮想区間をイメージしやすい構成としている。図１に関して更に要素を説明すると、必ずしも必至な要件ではないが、仮想空間のイメージは地平線まで平面が続いていると距離に対する心理的なストレスが生じる可能性があることも加味し、ここでは中距離に外野フェンス様のシェイプ（２）がり、野球のグラウンドを想起させる構成をにしている。更に、フェンスの前後位置には、アイアン用サブターゲットオブジェクト１（４ａ）、アイアン用サブターゲットオブジェクト２（４ｂ）、アイアン用標準ターゲットオブジェクト３（４ｃ）、ウッド用標準ターゲットオブジェクト４（４ｅ）、ウッド用サブターゲットオブジェクト５（４ｄ）が配されていて後述のショットの際の目標になるとともに、位置関係、形状により遠近感をより補強するようになっている。また、図柄、中央右にはアイアン用ボールマーカー（３）が配されているが、これは実際にボールを置く物理的目印であると同時に、仮想空間内ではトスされ浮かんでいるボールそのもの、レベルスイングでのヒットポイントを表している。更に、アイアン用ボールマーカー（３）からドライバーでのスタンスの半分程の距離のところにはドライバー用ボールマーカー（5ａ）が配されている。図２は、この図１のバリエーションで、近景にアイアン用ボールマーカー（３）へボールを投げ込む様を表した投手のシェイプ（６ａ）とこちらに向かって投げられたボールのシェイプ（６ｂ）が追加され、ヒットポイントの意味合いを補強している。これらは、仮想空間をイメージしやすくするための手段であるので最適な図柄が選ばれるものとする。
【００２４】
図６は、図２の図柄をゴルフ練習用マットに適用した場合の図である。本発明は、室内での素振りではく実際にボールを打つことに、より意味があるため、ゴルフマット基底部（８）には、ゴルフ練習場備え付けのゴルフマットに備え付けるための前方への飛び出し防止フック（７）が取り付けられていて、基底部（８）の上層には人工芝部（９）があり、ここに図２の図柄が、印刷又は脱色、色違いの繊維による植毛等の方法で描かれている。また、図２でドライバー用ボールマーカー（５ａ）となっていた場所には、基底部（８）、人工芝部（９）を貫通するドライバー用ゴムティ装着穴（５ｂ）が設けられている。
【００２５】
このゴルフ練習用マットでアイアンの練習を行うには、図６、図７にあるようにアイアン用ボールマーカー（３）にボール（１０ａ）を置き、クラブのプル角等も考慮して実際の目標方向にクラブヘッドを向ける、いわゆる、スクウェアな状態なるようにアドレスすし、次に、図５のように仮想空間をイメージし、図７で示したようにボール（１０ａ）がピッチャー(６ａ)からトスされて浮いているように考え、例えばアイアン用標準ターゲットオブジェクト３（４ｃ）を狙ってボール（１０ａ）を野球でのライト打ちのつもりで、仮想空間上ではボールの仮想野球場でのホームベース側の星印で示した位置に見えるインパクト部位（１０ｂ）であり、実際のマット上ではボール上面にあるインパクト部位（１０ｂ）を直接叩きに行って、軌跡（ｃ）のように打ち返すような野球そのままのスイングを行う。この時、クラブフェイスが被った状態でインパクトを迎えているような気がするかもしれないが、実際にはターゲットオブジェクト（４ｃ）を向いて振り切られるため頭が残り、ライト方向を狙おうとすることから腰と左膝、及び左肘の開きが抑えられたタメのできた正しいスイングが行われており、弾道から非常に再現性の高いスイングが実現されていることが確認できる。
【００２６】
一般的にドライバーは左足付近でティアップされたボールを、スイングプレーン上を円弧を描いて移動するクラブヘッドが最下点から上昇局面にある時にインパクトするものである。このため、本発明によるゴルフ練習用マットでは、ドライバー練習の際は図８のようにドライバー用ゴムティ装着穴（５ｂ）にゴムティ（５ｃ）を装着し、ボール（１１ａ）を乗せる。次に、アドレスを取った後アイアン用ボールマーカー（３）にドライバーヘッドをソールして、図５のように仮想空間をイメージし、少しヘッドを浮かした状態でアイアン練習の時と同様に仮想空間を意識してアイアン用ボールマーカー（３）にボールがあるような感覚でウッド用用標準ターゲットオブジェクト４（４ｄ）またはウッド用サブターゲットオブジェクト５（４ｅ）方向に打つ感覚を持つことで、上昇局面でスクウェアにボール（１１ａ）の側面の星印で示したインパクト部位（１１ｂ）をヒットするもので、このようにすることでアイアンの時と同様ドライバーに於いても、ウッド用標準ターゲットオブジェクト（４ｄ）またはウッド用サブターゲットオブジェクト（４ｅ）を向いて振り切られるため頭が残り、ライト方向を狙おうとすることから腰と左膝、及び左肘の開きが抑えられたタメのできた正しいスイングが行われる。
【実施例２】
【００２７】
ここで、ゴルフ練習用マットを用いない他の実施形態に関しても言及しておく。本発明では、請求項１にもあるように図１、図２で示した図柄等の投光器による投影も規定している。これにより、実際のティーインググラウンドやバンカー、傾斜地及びディボットなど実際のコースで練習目的で使用できるというアドバンテージを有する。使用方法は基本的にゴルフ練習用マットでの場合と変わらないが、運用方法を図１１を基に簡単に説明すると、実際の芝、砂、練習場のゴルフマット等の地面（１２）に、電池駆動の光学系を有した投光器（１３）から、図２の図柄を（ｅ）のように投影した投影像が（１４）のようになる。設置にあたってはドライバー利用の際にはドライバー用ボールマーカー（５ａ）が、ティー（１７）及びティー上のボール（１６）の位置に来るように調整することでゴルフ練習用マットでゴムティ（５ｃ）を立てた時と同様の条件を得ることができるものである。
【符号の説明】
【００２８】
１      遠近錯視のベースになるメッシュ図柄
２      外野フェンス図柄
３      アイアン用ボールマーカー図柄
４ａ    アイアン用サブターゲットオブジェクト１図柄
４ｂ    アイアン用サブターゲットオブジェクト２図柄
４ｃ    アイアン用標準ターゲットオブジェクト３図柄
４ｄ    ウッド用標準ターゲットオブジェクト４図柄
４ｅ    ウッド用サブターゲットオブジェクト５図柄
５ａ    アイアン用ボールマーカー図柄
５ｂ    ゴムティ装着用穴図柄
６ａ    ピッチャー図柄
６ｂ    ピッチャーから投じられたボール図柄
７      飛び出し防止用フック
８      ゴルフ練習用マット基底部
９      ゴルフ練習用マット人工芝部
１０ａ  ゴルフボール（アイアン練習時）
１０ｂ  アイアン練習時インパクト部位
１１ａ  ゴルフボール（ドライバー練習時）
１１ｂ  ドライバー練習時インパクト部位
１２    芝、砂、練習場のゴルフマット等の実際の地面
１３    電池駆動の光学系を有した投光器
１４    投光器による投影画像
１５    実際の芝、砂、練習場のゴルフマット等に置かれたボール
１６    地面に立てられた実際のティ上に置かれたボール
１７    地面に立てられた実際のティ
ａ      仮想軸
ｂ      仮想平面
ｃ      アイアン練習でのボールマーカーからの打ち返しイメージ
ｄ      ドライバー練習でのボールマーカーからの打ち返しイメージ
ｅ      投影光束イメージ
【図１】
2014161382.tif 000003
【図２】
2014161382.tif 000004
【図３】
2014161382.tif 000005
【図４】
2014161382.tif 000006
【図５】
2014161382.tif 000007
【図６】
2014161382.tif 000008
【図７】
2014161382.tif 000009
【図８】
2014161382.tif 000010
【図９】
2014161382.tif 000011
【図１０】
2014161382.tif 000012
【図１１】
2014161382.tif 000013